(57)【要約】【課題】アンテナの湾曲によるアンテナの特性変化が小さいアンテナ及び該アンテナを備えた無線端末を提供すること。【解決手段】アンテナ素子５２と、前記アンテナ素子の一部に配置され、正磁歪特性を有する第１の磁性体５４及び負磁歪特性を有する第２の磁性体５６の少なくとも一方と、を具備することを特徴とする。そして、アンテナ５０を折り曲げることによって無線機器の湾曲部或いは折れ曲がり部に沿って実装する場合には、第１の磁性体には圧縮応力が印加され、第２の磁性体には引っ張り応力が印加されるように、前記アンテナを実装する。【選択図】      図１
2006352564.tif 000002
【特許請求の範囲】
【請求項１】
アンテナ素子と、
前記アンテナ素子の一部に配置され、正磁歪特性を有する第１の磁性体と、を具備することを特徴とするアンテナ。
【請求項２】
請求項１に記載のアンテナにおいて、負磁歪特性を有する第２の磁性体を更に具備し、
前記第１の磁性体と前記第２の磁性体とで、前記アンテナ素子の少なくとも一部を挟むように構成することを特徴とするアンテナ。
【請求項３】
アンテナ素子と、
前記アンテナ素子の一部に配置され、負磁歪特性を有する磁性体と、を具備することを特徴とするアンテナ。
【請求項４】
湾曲部或いは折れ曲がり部を有する筐体と、
請求項１から請求項３のいずれか１項に記載のアンテナと、を備え、
前記アンテナを折り曲げることによって前記湾曲部或いは折れ曲がり部に沿って実装する場合に、前記第１の磁性体には圧縮応力が印加され、前記第２の磁性体には引っ張り応力が印加されるように、前記アンテナを実装することを特徴とする無線機器。
【発明の詳細な説明】
【技術分野】
【０００１】
本発明は、アンテナ及び該アンテナを備えた無線端末に関する。
【背景技術】
【０００２】
携帯電話機や携帯情報端末などの無線端末の小型化が進んでいる。また、それに伴い、折りたたみ式の筐体を有する無線端末なども提案され、実用化されている。  
ここで、小型化によるアンテナの感度の低下を防ぐために、磁性体の小片を平板逆Ｆアンテナの筐体側給電部付近に配置して共振周波数を低くする試みが提案されている（非特許文献１参照）。これにより、アンテナ長を見かけ上長くできるので、小型化に寄与することになる。また、磁性材料を用いた他の試みとして、効果的に不要電流を抑制する構成が提案されている（特許文献１参照）。
【０００３】
しかし、上記の構成では、アンテナが平面状（或いは棒状）のみを想定しており、アンテナを無線端末の筐体の角部などの湾曲部に実装したり、折りたたみ式の無線端末の可動部に実装したりした場合には、アンテナの特性が変化して、共振周波数が所望の共振周波数より高くなってしまう等の特性劣化の恐れがある。特に、折りたたみ式の場合においては、アンテナ自体が折り曲げられることになるので、折り曲げたアンテナ同士が容量結合することにより、見かけ上のアンテナ長が短くなるという問題が生じる。なお、筐体の湾曲部にアンテナを実装した場合にも、同様の問題が生じる。
【特許文献１】特開２００２−２６４２５５号公報
【非特許文献１】河野他「磁性材料を用いた平行Ｆアンテナの小型化の一検討（３）」２００４年電子情報通信学会通信ソサイエティ大会、Ｂ−１−２５
【発明の開示】
【発明が解決しようとする課題】
【０００４】
上記のように、無線端末の筐体の湾曲部等にアンテナを実装する場合、アンテナが湾曲することで共振周波数が所望より高くなってしまうなど、アンテナを湾曲することによる特性劣化が発生する問題がある。この特性劣化はアンテナ素子５２間の結合が主要因であり、このようなアンテナの湾曲によるアンテナの特性変化を小さくすることが望まれる。
【０００５】
本発明は、アンテナの湾曲によるアンテナの特性変化が小さいアンテナ及び該アンテナを備えた無線端末を提供することを目的とする。
【課題を解決するための手段】
【０００６】
本発明の局面に係るアンテナは、アンテナ素子と、前記アンテナ素子の一部に配置され、正磁歪特性を有する第１の磁性体及び負磁歪特性を有する第２の磁性体の少なくとも一方と、を具備することを特徴とする。そして、アンテナを折り曲げることによって無線機器の湾曲部或いは折れ曲がり部に沿って実装する場合には、第１の磁性体には圧縮応力が印加され、第２の磁性体には引っ張り応力が印加されるように、前記アンテナを実装する。
【０００７】
正磁歪特性を持つ磁性体は応力がかかると透磁率が上昇する。また、負磁歪特性を持つ磁性体は負の応力がかかると透磁率が上昇する。この透磁率の上昇を利用することにより、アンテナを湾曲し等価的にアンテナ長が短く見えても、これをキャンセルしてアンテナの湾曲による特性変化を小さくしている。
【発明の効果】
【０００８】
本発明によれば、アンテナの湾曲によるアンテナの特性変化を小さくすることができる。
【発明を実施するための最良の形態】
【０００９】
図面を参照して本発明の実施の形態を説明する。  
図１は、本発明のアンテナが適用される無線端末の一例を示す図である。図１において、無線端末は折りたたみ可能に構成されており、（ａ）は無線端末を開いた場合の図、（ｂ）は無線端末を折りたたんだ場合において正面から見た場合の図、（ｃ）は無線端末を折りたたんだ場合において側面から見た場合の図である。なお、図１の（ｄ）は無線端末を広げた場合において斜め横から見た図である。
【００１０】
図１において、無線端末は、第１の筐体１０と、第２の筐体２０と、第１と第２の筐体１０及び２０を折り曲げ可能に支持する折り曲げ部３０とを備えている。  
第１の筐体の前面には、液晶表示部（ＬＣＤ：Liquid Crystal Display）１２が配設され、背面には無線機器に内蔵されたカメラ用のレンズ部１６とフラッシュ１８とが配設されている。第２の筐体２０には、キー入力デバイス２２等と共に図示しない主印刷配線基板が収容されている。折り曲げ部３０は、液晶表示部１２とキー入力デバイス２２が内側になるように第１と第２の筐体１０及び２０を、例えば蛇腹構造により、折り曲げ可能に支持している。なお、第１の筐体１０の上部の湾曲部付近に図示しないスピーカが配設され、第２の筐体２０の下部付近に図示しないマイクロフォンが配設されて、通話が可能になっている。なお、破断面の部分に示す符号５０−１から５０−６は、詳細は後述する本発明の一実施形態に係るアンテナが実装される部分である。このように、本発明に係るアンテナは、図１に示すように、基本的に、無線端末の筐体に沿って実装されるものとする。なお、アンテナは、破線で示した部分５０−１から５０−６のみに実装するのではなく、破線で示した部分５０−１から５０−６はアンテナの一部であっても良い。その場合には、破線で示した部分５０−１から５０−６に実装されるアンテナが少なくとも後述する構成を有していれば良い。
【００１１】
図２は、本発明の一実施形態に係るアンテナの構成を示す図である。図２に示すように、本実施形態に係るアンテナ５０は、アンテナ素子５２を挟むように正磁歪特性を有する第１の磁性体５４と負磁歪特性を有する第２の磁性体５６とを備えている。ここで、第１の磁性体５４は正の磁歪特性を有するので、圧縮応力が加わると透磁率が上昇し、引っ張り応力が加わると逆に透磁率が減少するという性質を有している。第２の磁性体５６は負磁歪特性を有するので、第１の磁性体５４とは逆に、圧縮応力が加わると透磁率が減少し、引っ張り応力が加わると透磁率が増加するという性質を有している。従って、アンテナが折り曲げられた場合における磁性体の透磁率の変化（増加）を利用して、アンテナ素子５２の湾曲による特性変化が小さくなるようにしている。
【００１２】
具体的には、図２の（ａ）のような構成を有するアンテナ５０が、図２の（ｂ）に示すように折り曲げられた場合には、第１の磁性体５４には圧縮応力が加わり、第２の磁性体５６には引っ張り応力が加わる。これにより、第１及び第２の磁性体５４及び５６の両者の透磁率が上昇するので、アンテナ素子５２からの磁束の漏洩が少なくなるため、アンテナ素子５２間の容量結合などを防ぎ、アンテナ素子５２を折り曲げた場合における特性変化を少なくすることができる。なお、本発明においては、圧縮応力が加わる面に正磁歪特性を有する磁性体を配置し、引っ張り応力が加わる面に負磁歪特性を有する磁性体を配置する必要がある。
【００１３】
具体的な構成例を図３及び図４に示す。図３及び図４は、それぞれ筐体の湾曲部の内側と外側に本発明に係るアンテナを実装した例を示す図である。図３及び図４は、例えば、図１（ａ）の湾曲部１４や折り曲げ部３０にアンテナ５０を実装した場合の断面図を示したものである。アンテナ５０は、湾曲部１４のみならず、第２の筐体の湾曲部２４やその他の角部などの様々な場所に適用可能である。具体的には、図３に係る構成のアンテナは、図１において、符号５０−１から５０−５で示した部分に実装されるものに適用され、図４に係る構成のアンテナは、図１において、符号５０−６で示した部分に実装されるものに適用される。このように、本発明に係るアンテナは、図１の無線機器において、例えば、固定された湾曲部１４、２４や、可動部である折り曲げ部３０に装着した場合でも、性能劣化がないようにしたものである。なお、以下の説明においては、単に「湾曲部」と称し、湾曲部１４にアンテナ５０を配設した場合を説明する。  
図３は、湾曲部１４の内側にアンテナ５０を配設した場合であって、このように、第１の筐体１０（第２の筐体２０であってももちろん良いので、以下単に「筐体」と称する）の湾曲部１４の内側にアンテナ５０を配設する場合には、筐体１０側から負磁歪特性を有する第２の磁性体５６、アンテナ素子５２、正磁歪特性を有する第１の磁性体５４の順に配置される。これにより、各磁性体の透磁率が上昇するので、アンテナ素子５２を折り曲げた場合の問題点を解消できる。
【００１４】
また、図４は、折り曲げ部３０の内側（符号５０−６で示す部分）にアンテナ５０を配設した場合であって、このように、折り曲げ部３０の内側にアンテナ５０を配置する場合には、折り曲げ部３０の内側の部分から正磁歪特性を有する第１の磁性体５４、アンテナ素子５２、負磁歪特性を有する第２の磁性体５６の順に配置される。これにより、図３の場合と同様に、各磁性体の透磁率が上昇するので、アンテナ素子５２を折り曲げた場合の問題点を解消できる。なお、上記の実施形態では、アンテナ素子を筐体の湾曲部や折り曲げ部に実装した場合の例を示したが、例えば、ＬＣＤホルダ等の内部部品に、本発明にかかるアンテナを折り曲げて実装した場合でも同様の効果が得られる。
【００１５】
なお、図３及び図４の構成において、アンテナ５０の筐体１０への実装は、例えば、接着により行っても良いし、筐体１０に固定用つめ等の装着部を設けておき、この装着部へアンテナ５０をはめ込んだり、その他の方法で固定したりすることにより行われるが、アンテナを無線機器に実装可能であれば、どのような方法を用いて実装しても良い。
【００１６】
本発明は、上記各実施の形態に限ることなく、その他、実施段階ではその要旨を逸脱しない範囲で種々の変形を実施し得ることが可能である。  
上記の実施形態では、アンテナ素子５２の両面にそれぞれ正磁歪特性を有する磁性体と負磁歪特性を有する磁性体とを配置したが、アンテナ素子５２の全面を、磁性体で覆う必要はなく、アンテナとして機能する導体の部分のみを覆うようにすれば良い。また、アンテナとして機能する部分全てを覆うのではなく、その一部のみを覆うようにしても良い。  
また、磁性体も、必ずしもアンテナ素子５２の両面に配置する必要はなく、少なくとも正磁歪特性を有する磁性体をアンテナ素子５２に配置すればよい。  
上記の実施形態では、アンテナ素子５２の構成について具体的には述べなかったが、アンテナ素子５２は、折り曲げ可能であればどのような形状のものであってもよく、例えば、ロッド状、ループ状、メアンダ状、ヘリカル状など、様々な形状のアンテナ素子５２に適用できる。  
さらに、上記各実施形態には、種々の段階の発明が含まれており、開示される複数の構成要件における適宜な組合せにより種々の発明が抽出され得る。
【００１７】
また、例えば各実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００１８】
【図１】本発明のアンテナが適用される無線端末の一例を示す図。
【図２】本発明の一実施形態に係るアンテナの構成を示す図。
【図３】筐体の湾曲部の内側に本発明に係るアンテナを実装した例を示す図。
【図４】筐体の湾曲部の外側に本発明に係るアンテナを実装した例を示す図。
【符号の説明】
【００１９】
１０…第１の筐体
１２…液晶表示部
１４…湾曲部
１６…レンズ部
１８…フラッシュ
２０…第２の筐体
２２…キー入力デバイス
５０…アンテナ
５２…アンテナ素子
５４…第１の磁性体
５６…第２の磁性体
【図１】
2006352564.tif 000003
【図２】
2006352564.tif 000004
【図３】
2006352564.tif 000005
【図４】
2006352564.tif 000006